(57)【特許請求の範囲】
【請求項１】
ドロワーと、
前記ドロワーが収容される空間を提供するキャビネットと、
前記ドロワーの内部に備えられ、水が収容される空間を提供するタブと、
前記タブの内部に回転可能に備えられ、衣類が収容される空間を提供するドラムと、
前記ドロワーと前記キャビネットとの間隔を維持し、前記ドロワーが前記キャビネットから引き出されることを防止し、前記ドロワーが前記キャビネットの内部に位置した状態で、使用者が前記キャビネットの外部から除去可能なスペーサーとを含み、
前記スペーサーは、弾性材質で形成される、衣類処理装置。
【請求項２】
前記キャビネットの底面を貫通するように備えられる下部貫通孔をさらに含み、
前記スペーサーは、前記キャビネットと前記ドロワーの底面との間の空間に位置し、前記下部貫通孔を介して除去可能である、請求項１に記載の衣類処理装置。
【請求項３】
前記キャビネットの上部面を貫通する上部貫通孔をさらに含み、
前記スペーサーは、前記キャビネットと前記ドロワーの上部面との間の空間に位置し、前記上部貫通孔を介して除去可能である、請求項１に記載の衣類処理装置。
【請求項４】
前記キャビネットの底面を貫通するように備えられる下部貫通孔と、
前記キャビネットと前記ドロワーの底面との間の空間に位置し、前記下部貫通孔を介して除去可能な第２スペーサーとをさらに含み、
前記第２スペーサーは、弾性材質で形成される、請求項３に記載の衣類処理装置。
【請求項５】
前記キャビネットの底面を貫通するように備えられる下部貫通孔と、
前記ドロワーの底面を貫通するように備えられる開口部と、
前記タブの底面と前記ドロワーとの間の空間に位置し、前記下部貫通孔及び前記開口部を介して除去可能な第２スペーサーとをさらに含み、
前記第２スペーサーは、弾性材質で形成される、請求項３に記載の衣類処理装置。
【請求項６】
前記タブの底面に備えられ、回転磁界を形成するステータと、
前記回転磁界によって回転するローターと、
前記タブの底面を貫通して前記ローターと前記ドラムとを連結する回転軸と、
前記キャビネットの底面を貫通するように備えられる下部貫通孔と、
前記ドロワーの底面を貫通するように備えられる開口部と、
前記ローターと前記ドロワーとの間の空間に備えられ、前記下部貫通孔及び前記開口部を介して除去可能な第２スペーサーとをさらに含み、
前記第２スペーサーは、弾性材質で形成される、請求項３に記載の衣類処理装置。
【請求項７】
前記キャビネットの底面を貫通するように備えられる下部貫通孔と、
前記ドロワーの底面を貫通するように備えられる開口部と、
前記タブの底面を支持し、前記下部貫通孔及び前記開口部を介して除去可能な第２スペーサーとをさらに含み、
前記第２スペーサーは、
前記キャビネットの底面を支持する支持ボディーと、
前記支持ボディーに備えられ、前記タブの底面を支持するように備えられ、前記下部貫通孔及び前記開口部を介して除去可能な固定ボディーとを含む、請求項１に記載の衣類処理装置。
【請求項８】
前記キャビネットと前記ドロワーは、前記下部貫通孔及び前記開口部を介して前記第２スペーサーを収容するように備えられ、
前記キャビネットと前記ドロワーは、前記下部貫通孔及び前記開口部を介して前記固定ボディーを収容するように備えられる、請求項７に記載の衣類処理装置。
【請求項９】
前記タブの底面に備えられ、回転磁界を形成するステータと、
前記回転磁界によって回転するローターと、
前記タブの底面を貫通して前記ローターと前記ドラムとを連結する回転軸と、
前記キャビネットの底面を貫通するように備えられる下部貫通孔と、
前記ドロワーの底面を貫通するように備えられる開口部と、
前記ローターを支持するように備えられ、前記下部貫通孔及び前記開口部を介して除去可能な第２スペーサーとをさらに含み、
前記第２スペーサーは、
前記キャビネットの底面を支持する支持ボディーと、
前記支持ボディーに備えられ、前記ローターを支持するように備えられ、前記下部貫通孔及び前記開口部を介して除去可能な固定ボディーとを含む、請求項１に記載の衣類処理装置。
【請求項１０】
前記スペーサーは、摩擦力を介して、前記キャビネットと前記ドロワーとの間に形成された空間に位置する、請求項１に記載の衣類処理装置。
【請求項１１】
前記ドロワーは、上部面を貫通するように備えられる貫通孔をさらに含み、
前記タブは、
水が収容される空間を提供し、前記ドラムが収容される空間を提供するタブボディーと、
前記タブボディーの上部面を形成し、投入口が備えられるタブカバーと、
前記投入口を開放または閉鎖するように備えられるドアとを含む、請求項１に記載の衣類処理装置。
【請求項１２】
前記キャビネットの上部面を貫通するように備えられた上部貫通孔と、
前記キャビネットの底面を貫通するように備えられた下部貫通孔とをさらに含み、
前記スペーサーは、
前記上部貫通孔を介して除去可能であり、前記キャビネットと前記ドアとの間隔を維持する第１スペーサーと、
前記下部貫通孔を介して除去可能であり、前記キャビネットと前記ドロワーとの間隔を維持する第２スペーサーとを含むことを特徴とする、請求項１１に記載の衣類処理装置。
【請求項１３】
前記キャビネットは、前記上部貫通孔を介して第１スペーサーが挿入され、前記下部貫通孔を介して第２スペーサーが挿入されるように備えられる、請求項１１に記載の衣類処理装置。
【請求項１４】
前記第１スペーサー及び前記第２スペーサーは弾性材質で形成され、
前記第１スペーサーは、摩擦力を介して、前記キャビネットと前記ドアとの間に形成された空間に位置するように備えられ、
前記第２スペーサーは、摩擦力を介して、前記キャビネットと前記ドロワーの底面との間に形成された空間に位置するように備えられる、請求項１２に記載の衣類処理装置。
【請求項１５】
前記タブの底面に備えられ、回転磁界を形成するステータと、
前記回転磁界によって回転するローターと、
前記タブの底面を貫通して前記ローターと前記ドラムとを連結する回転軸と、
前記キャビネットの上部面を貫通するように備えられた上部貫通孔と、
前記キャビネットの底面を貫通するように備えられた下部貫通孔と、
前記ドロワーの底面を貫通するように備えられる開口部とをさらに含み、
前記スペーサーは、
前記上部貫通孔を介して除去可能であり、前記キャビネットと前記ドアとの間隔を維持する第１スペーサーと、
前記ローターと前記ドロワーとの間の空間に位置し、前記下部貫通孔及び前記開口部を介して除去可能な第２スペーサーとを含む、請求項１１に記載の衣類処理装置。
【請求項１６】
前記第１スペーサー及び前記第２スペーサーは弾性材質で形成され、
前記第１スペーサーは、摩擦力を介して、前記キャビネットと前記ドアとの間に形成された空間に位置するように備えられ、
前記第２スペーサーは、摩擦力を介して、前記ローターと前記ドロワーとの間に形成された空間に位置するように備えられる、請求項１５に記載の衣類処理装置。
【請求項１７】
ドロワーと、
前記ドロワーが収容される空間を提供するキャビネットと、
前記ドロワーの内部に備えられ、水が収容される空間を提供するタブと、
前記タブは、
水が収容される空間を提供するタブボディーと、
前記タブボディーの上部面を形成し、投入口が備えられるタブカバーと、
前記投入口を開放または閉鎖するように備えられるドアとを含み、
前記タブボディーの内部に回転可能に備えられ、前記投入口を介して衣類が収容される空間を提供するドラムと、
前記タブボディーの底面に備えられ、回転磁界を形成するステータと、
前記回転磁界によって回転するローターと、
前記タブボディーの底面を貫通して前記ローターと前記ドラムとを連結する回転軸と、
前記キャビネットの上部面を貫通するように備えられた上部貫通孔と、
前記キャビネットの底面を貫通するように備えられた下部貫通孔と、
前記ドロワーの上部面に形成され、前記投入口と連通する貫通孔と、
前記ドロワーの底面を貫通するように備えられる開口部とをさらに含み、
前記ドロワーと前記キャビネットの間の間隔を維持し、前記ドロワーが前記キャビネットから引き出されることを防止し、前記ドロワーが前記キャビネットの内部に位置した状態で、使用者が前記キャビネットの外部から除去可能であるスペーサーと、
前記スペーサーは、
前記上部貫通孔を介して除去可能であり、前記キャビネットと前記ドアとの間隔を維持する第１スペーサーと、
前記キャビネットの底面を支持する支持ボディーと、前記支持ボディーに備えられ、前記下部貫通孔及び前記開口部を介して除去可能であり、前記ローターを支持する固定ボディーを含む第２スペーサーと
を含む、衣類処理装置。
【請求項１８】
前記第１スペーサー及び前記第２スペーサーは弾性材質で形成される、請求項１１に記載の衣類処理装置。
【請求項１９】
前記タブボディーを前記ドロワーに結合させる３つ以上のタブ支持部をさらに含み、前記各タブ支持部は、
前記ドロワーに備えられる第１支持部と、
前記タブボディーに備えられる第２支持部と、
前記第１支持部と前記第２支持部を連結するように備えられ、前記ドロワーの底面に対して直角をなす連結部とを含む、請求項１２に記載の衣類処理装置。
【請求項２０】
３つ以上備えられる前記第１支持部のうちの少なくとも１つは、前記ドロワーに着脱可能である、請求項１９に記載の衣類処理装置。
【発明の詳細な説明】
【技術分野】
【０００１】
本発明は、衣類処理装置に関する。
【背景技術】
【０００２】
一般に、衣類処理装置は、衣類（洗濯対象物、乾燥対象物）を洗濯する装置、衣類を乾燥する装置、衣類の洗濯及び乾燥の両方を行うことができる装置を含む概念である。
【０００３】
従来の衣類処理装置は、装置の前方面に設けられた投入口を介して衣類を装置に投入するフロントローディング方式と、装置の上部面に設けられた投入口を介して衣類を装置に投入するトップローディング方式とに区分された。
【０００４】
トップローディング方式の衣類処理装置の中には、キャビネット、前記キャビネットから引き出し可能なドロワー、前記ドロワーに備えられ、上部面に投入口が設けられたタブ、前記タブの内部に回転可能に備えられたドラム、及び前記投入口を開閉するドアを含む衣類処理装置があった。
【発明の概要】
【発明が解決しようとする課題】
【０００５】
本発明は、衣類処理装置の運搬中にドロワーがキャビネットに衝突したり、ドロワーがキャビネットから引き出されたりすることを防止できる衣類処理装置を提供することを解決しようとする課題とする。
【０００６】
また、本発明は、運搬後にキャビネットから分離可能な手段を用いて、運搬中にドロワーがキャビネットに衝突したり、ドロワーがキャビネットから引き出されたりすることを防止できる衣類処理装置を提供することを解決しようとする課題とする。
【０００７】
また、本発明は、運搬中にドラムがタブの内部で遊動することを防止できる衣類処理装置を提供することを解決しようとする課題とする。
【０００８】
また、本発明は、衣類が収容されるタブの振動を効果的に制御できる衣類処理装置を提供することを解決しようとする課題とする。
【課題を解決するための手段】
【０００９】
本発明は、上述した課題を解決するために、ドロワーと、前記ドロワーが収容される空間を提供するキャビネットと、前記ドロワーの内部に備えられ、水が収容される空間を提供するタブと、前記タブの内部に回転可能に備えられ、衣類が収容される空間を提供するドラムと、及び前記ドロワーと前記キャビネットとの間隔を維持し、前記ドロワーが前記キャビネットから引き出されることを防止し、前記ドロワーが前記キャビネットの内部に位置した状態で、使用者が前記キャビネットの外部から除去可能なスペーサーを含む、衣類処理装置を提供する。
【００１０】
前記衣類処理装置は、前記キャビネットの底面を貫通するように備えられる下部貫通孔をさらに含み、前記スペーサーは、前記キャビネットと前記ドロワーの底面との間の空間に位置し、前記下部貫通孔を介して除去可能に備えられてもよい。
【００１１】
前記衣類処理装置は、前記キャビネットの上部面を貫通する上部貫通孔をさらに含み、前記スペーサーは、前記キャビネットと前記ドロワーの上部面との間の空間に位置し、前記上部貫通孔を介して除去可能に備えられてもよい。
【００１２】
前記衣類処理装置は、前記キャビネットの底面を貫通するように備えられる下部貫通孔と、前記キャビネットと前記ドロワーの底面との間の空間に位置し、前記下部貫通孔を介して除去可能な第２スペーサーをさらに含むことができる。
【００１３】
前記衣類処理装置は、前記キャビネットの底面を貫通するように備えられる下部貫通孔と、前記ドロワーの底面を貫通するように備えられる開口部と、前記タブの底面と前記ドロワーとの間の空間に位置し、前記下部貫通孔及び前記開口部を介して除去可能な第２スペーサーをさらに含むことができる。
【００１４】
前記衣類処理装置は、前記タブの底面に備えられ、回転磁界を形成するステータと、前記回転磁界によって回転するローターと、前記タブの底面を貫通して前記ローターと前記ドラムとを連結する回転軸と、前記キャビネットの底面を貫通するように備えられる下部貫通孔と、前記ドロワーの底面を貫通するように備えられる開口部と、前記ローターと前記ドロワーとの間の空間に備えられ、前記下部貫通孔及び前記開口部を介して除去可能な第２スペーサーをさらに含むことができる。
【００１５】
前記衣類処理装置は、前記キャビネットの底面を貫通するように備えられる下部貫通孔；前記ドロワーの底面を貫通するように備えられる開口部と、前記タブの底面を支持し、前記下部貫通孔及び前記開口部を介して除去可能な第２スペーサーとをさらに含み、前記第２スペーサーは、前記キャビネットの底面を支持する支持ボディーと、前記支持ボディーに備えられ、前記タブの底面を支持するように備えられ、前記下部貫通孔及び前記開口部を介して除去可能な固定ボディーを含むことができる。
【００１６】
前記キャビネットと前記ドロワーは、前記下部貫通孔及び前記開口部を介して前記第２スペーサーを収容するように備えられ、前記キャビネットと前記ドロワーは、前記下部貫通孔及び前記開口部を介して前記固定ボディーを収容するように備えられてもよい。
【００１７】
前記衣類処理装置は、前記タブの底面に備えられ、回転磁界を形成するステータと、前記回転磁界によって回転するローターと、前記タブの底面を貫通して前記ローターと前記ドラムとを連結する回転軸と、前記キャビネットの底面を貫通するように備えられる下部貫通孔と、前記ドロワーの底面を貫通するように備えられる開口部と、前記ローターを支持するように備えられ、前記下部貫通孔及び前記開口部を介して除去可能な第２スペーサーをさらに含み、前記第２スペーサーは、前記キャビネットの底面を支持する支持ボディーと、前記支持ボディーに備えられ、前記ローターを支持するように備えられ、前記下部貫通孔及び前記開口部を介して除去可能な固定ボディーを含むことができる。
【００１８】
前記スペーサーは、摩擦力を介して、前記キャビネットと前記ドロワーとの間に形成された空間に位置するように備えられてもよい。
【００１９】
前記ドロワーは、上部面を貫通するように備えられる貫通孔をさらに含むことができ、前記タブは、水が収容される空間を提供し、前記ドラムが収容される空間を提供するタブボディーと、前記タブボディーの上部面を形成し、投入口が備えられるタブカバーと、前記投入口を開放または閉鎖するように備えられるドアを含むことができる。
【００２０】
前記衣類処理装置は、前記キャビネットの上部面を貫通するように備えられた上部貫通孔と、前記キャビネットの底面を貫通するように備えられた下部貫通孔をさらに含むことができ、前記スペーサーは、前記上部貫通孔を介して除去可能であり、前記キャビネットと前記ドアとの間隔を維持する第１スペーサーと、前記下部貫通孔を介して除去可能であり、前記キャビネットと前記ドロワーとの間隔を維持する第２スペーサーを含むことができる。
【００２１】
前記キャビネットは、前記上部貫通孔を介して第１スペーサーが挿入され、前記下部貫通孔を介して前記第２スペーサーが挿入されるように備えられてもよい。
【００２２】
前記第１スペーサーは、摩擦力を介して、前記キャビネットと前記ドアとの間に形成された空間に位置するように備えられ、前記第２スペーサーは、摩擦力を介して、前記キャビネットと前記ドロワーの底面との間に形成された空間に位置するように備えられてもよい。
【００２３】
前記衣類処理装置は、前記タブの底面に備えられ、回転磁界を形成するステータと、前記回転磁界によって回転するローターと、前記タブの底面を貫通して前記ローターと前記ドラムとを連結する回転軸と、前記キャビネットの上部面を貫通するように備えられた上部貫通孔と、前記キャビネットの底面を貫通するように備えられた下部貫通孔と、前記ドロワーの底面を貫通するように備えられる開口部をさらに含み、前記スペーサーは、前記上部貫通孔を介して除去可能であり、前記キャビネットと前記ドアとの間隔を維持する第１スペーサーと、前記ローターと前記ドロワーとの間の空間に位置し、前記下部貫通孔及び前記開口部を介して除去可能な第２スペーサーを含むことができる。
【００２４】
前記第１スペーサーは、摩擦力を介して、前記キャビネットと前記ドアとの間に形成された空間に位置するように備えられ、前記第２スペーサーは、摩擦力を介して、前記ローターと前記ドロワーとの間に形成された空間に位置するように備えられてもよい。
【００２５】
前記衣類処理装置は、前記タブの底面に備えられ、回転磁界を形成するステータと、前記回転磁界によって回転するローター；前記タブの底面を貫通して前記ローターと前記ドラムとを連結する回転軸と、前記キャビネットの上部面を貫通するように備えられた上部貫通孔と、前記キャビネットの底面を貫通するように備えられた下部貫通孔と、前記ドロワーの底面を貫通するように備えられる開口部をさらに含み、前記スペーサーは、前記上部貫通孔を介して除去可能であり、前記キャビネットと前記ドアとの間隔を維持する第１スペーサーと、前記キャビネットの底面を支持する支持ボディーと、前記支持ボディーに備えられ、前記下部貫通孔及び前記開口部を介して除去可能であり、前記ローターを支持する固定ボディーを含む第２スペーサーとを含むことができる。
【００２６】
前記第１スペーサー及び前記第２スペーサーは弾性材質で形成されてもよい。
【００２７】
前記衣類処理装置は、前記タブボディーを前記ドロワーに結合させる３つ以上のタブ支持部をさらに含み、前記各タブ支持部は、前記ドロワーに備えられる第１支持部と、前記タブボディーに備えられる第２支持部と、前記第１支持部と前記第２支持部を連結するように備えられ、前記ドロワーの底面に対して直角をなす連結部を含むことができる。
【００２８】
３つ以上備えられる前記第１支持部のうちの少なくとも１つは、前記ドロワーに着脱可能に備えられてもよい。
【発明の効果】
【００２９】
本発明は、衣類処理装置の運搬中にドロワーがキャビネットに衝突したり、ドロワーがキャビネットから引き出されたりすることを防止できる衣類処理装置を提供する効果を図ることができる。
【００３０】
また、本発明は、運搬後にキャビネットから分離可能な手段を用いて、運搬中にドロワーがキャビネットに衝突したり、ドロワーがキャビネットから引き出されたりすることを防止できる衣類処理装置を提供する効果を図ることができる。
【００３１】
また、本発明は、運搬中にドラムがタブの内部で遊動することを防止できる衣類処理装置を提供する効果を図ることができる。
【００３２】
また、本発明は、衣類が収容されるタブの振動を効果的に制御できる衣類処理装置を提供する効果を図ることができる。
【図面の簡単な説明】
【００３３】
【図１】本発明に係る衣類処理装置の一例を示す図である。
【図２】本発明に係る衣類処理装置の一例を示す図である。
【図３】ドロワー、タブ及びドラムの結合構造を示す図である。
【図４】本発明に備えられたタブ支持部の一例を示す図である。
【図５】タブ支持部に備えられた第１支持部の一例を示す図である。
【図６】スペーサーの実施例を示す図である。
【図７】スペーサーの実施例を示す図である。
【図８】スペーサーの実施例を示す図である。
【発明を実施するための形態】
【００３４】
以下では、添付の図面を参照して本発明の好ましい実施例を詳細に説明する。一方、以下で記述する装置の構成や制御方法は、本発明の実施例を説明するためのものに過ぎず、本発明の権利範囲を限定するためのものではなく、明細書全般にわたって同一に使用された参照番号は同一の構成要素を示す。
【００３５】
図１、図２及び図３に示したように、本発明に係る衣類処理装置１００は、キャビネット２、前記キャビネットから引き出し可能に備えられるドロワー３、前記ドロワーの内部に備えられ、水が貯蔵されるタブ４（図２参照）、及び前記タブの内部に回転可能に備えられ、衣類が貯蔵されるドラム５（図３参照）を含む。
【００３６】
図１に示したように、前記キャビネット２は、衣類処理装置の外観を形成する手段として備えられてもよく、前記ドロワー３を収容する空間として備えられてもよい。前記キャビネット２の前方面には、ドロワー３が挿入される開放面２１（出入口など）を設けることができる。
【００３７】
前記ドロワー３は、前記開放面２１を介してキャビネット２の内部に挿入されるドロワーボディー３１、前記ドロワーボディー３１の前方面に固定されて前記開放面２１を開閉するドロワーパネル３３、及び前記ドロワーボディー３１の上部面を形成するドロワーカバー３５を含む。
【００３８】
前記ドロワーパネル３３は、ドロワーボディー３１の前方面に固定されるため、前記ドロワーボディー３１をキャビネット２から引き出すハンドルの役割も果たすことができる。
【００３９】
前記ドロワーパネル３３には、衣類処理装置１００の作動と関連する制御命令を入力し、及び衣類処理装置の作動と関連するメッセージを使用者に表示する、コントロールパネル３３１が備えられてもよい。
【００４０】
前記ドロワーボディー３１は、前記開放面２１を介してキャビネット２に挿入することができ、前記タブ４を収容する空間を提供することができれば、いかなる形状に設けられてもよく、図１は、内部が空いている六面体形状のドロワーボディー３１を一例として示したものである。
【００４１】
前記ドロワー３は、ドロワーガイダーによってキャビネット２から引き出し可能であり、前記ドロワーガイダーは、ドロワーボディー３１の側面に固定されるスライダー３７１、及び前記キャビネット２の内部に備えられて前記スライダー３７１を収容するスライダー収容部３７３を含むことができる（図３参照）。
【００４２】
前記ドロワーカバー３５には、ドロワーボディー３１の内部を外部と連通させる第１貫通孔３５１及び第２貫通孔３５３が備えられる。前記第１貫通孔３５１は、衣類の出入りのために備えられ、前記第２貫通孔３５３は、衣類の洗濯に必要な水を供給するために備えられなければならず、詳細な説明は後述する。
【００４３】
図２に示したように、前記タブ４は、前記ドロワーボディー３１の内部に位置して水が貯蔵されるタブボディー４１、及び前記タブボディー４１の上部面を形成するタブカバー４３を含む。前記タブボディー４１は、上部面が開放された円筒形状に設けられてもよい。
【００４４】
前記タブカバー４３は、前記タブボディー４１の内部を前記タブボディーの外部と連通させる投入口４３１、及び前記タブボディー４１の内部に水を流入させる供給口４３３を含むことができる。
【００４５】
前記投入口４３１は、ドロワーカバー３５に設けられた第１貫通孔３５１に連通するように備えなければならず、前記供給口４３３は、ドロワーカバーの第２貫通孔３５３に連通するように備えることが好ましい。すなわち、前記投入口４３１は、前記第１貫通孔３５１の下部に位置し、前記供給口４３３は、前記第２貫通孔３５３の下部に位置することが好ましい。
【００４６】
前記投入口４３１は、タブボディー４１の内部に衣類を供給したり、タブボディー４１の内部の衣類をタブボディーの外部に取り出したりするための手段であって、前記投入口４３１はドア４５によって開閉される。
【００４７】
図３に示したように、前記ドア４５は、ヒンジ４５３を介して前記タブカバー４３に回転可能に結合されるフレーム４５１、前記フレームに備えられるウィンドウ４５５、及び前記フレーム４５１を前記タブカバー４３に着脱可能に結合させるドアハンドル４５７を含むことができる。使用者がタブボディー４１の内部を確認できるように、前記ウィンドウ４５５は透明材質で形成されることが好ましい。
【００４８】
前記タブ４の内部に備えられるドラム５は、上部に開放面５３が設けられた円筒形状のドラムボディー５１として備えられてもよい。前記開放面５３は、前記投入口４３１の下部に位置するので、投入口４３１を介して供給される衣類は、開放面５３を通してドラムボディー５１に供給される。
【００４９】
図２に示したように、前記ドラムボディー５１の底面５７及び円周面５５には、ドラムボディー５１の内部をタブボディー４１と連通させる多数のドラム貫通孔５９が設けられていてもよい。
【００５０】
前記ドラムボディー５１は、駆動部によってタブボディー４１の内部で回転する。前記駆動部は、タブボディー４１の外部に位置しており、タブボディーの底面に固定されるステータＭ１、前記ステータが提供する回転磁界（ｒｏｔａｔｉｎｇ  ｆｉｅｌｄ）によって回転するローターＭ２、及び前記タブボディー４１の底面を貫通するように設けられ、前記ドラムの底面５７とローターＭ３を連結する回転軸Ｍ３を備えることができる。前記回転軸Ｍ３は、タブボディー４１の底面に対して直角をなすように備えることができる。
【００５１】
上述した構造を有するタブ４は、タブ支持部６を介してドロワーボディー３１に結合されており、前記タブ支持部６は、ドロワーボディー３１に設けられる第１支持部６１、タブボディー４１に設けられる第２支持部６３、及び第１支持部と第２支持部とを連結する連結部６５を備えることができる。
【００５２】
図３に示したように、前記連結部６５は、第１支持部６１に着座する第１連結部６５１、第２支持部６３を支持する第２連結部６５３、及び前記第１連結部と第２連結部とを連結するバー（ｂａｒ）６５５を備えることができる。
【００５３】
前記第１連結部６５１は、前記第１支持部６１の内部に着座し、第１支持部６１の内部で運動できる形状に設けられ、前記第２連結部６５３は、前記第２支持部６３を支持し、第２支持部６３の内部で運動できる形状に設けられることが好ましい。
【００５４】
図３は、各支持部６１，６３に接触する面が半球状である第１連結部６５１及び第２連結部６５３を一例として示したものであり、図４は、球状に設けられる第１連結部６５１及び第２連結部６５３を一例として示したものである。
【００５５】
図４に示したように、前記各支持部６１，６３は、前記バー６５５が前記キャビネット２の底面に対して直角になるようにする位置（例えば：ドロワーの底面に対して直角になるようにする位置）に備えられることが好ましい。
【００５６】
本発明は、少なくとも３つ以上のタブ支持部６が、タブボディー４１をドロワーボディー３１に結合させるように備えられ、前記バー６５５が、ドロワーボディー３１の底面に対して直角をなすように備えられるため、前記バー６５５がＺ軸（タブの高さ方向）に対して所定角度傾斜して備えられる場合に比べて、前記タブカバー４３と前記ドロワーカバー３５との間隔を広げることができる（Ｓ１＞Ｓ２）。
【００５７】
したがって、前記タブ支持部６は、前記タブボディー４１がドロワーボディー３１の内部で振動しても、前記タブカバー４３がドロワーカバー３５に衝突する可能性を低減することができる。
【００５８】
前記バー６５５がドロワーボディー３１の底面に対して直角をなすように備えられる場合、多数の前記第１支持部６１のうちの一部は、ドロワーボディー３１に着脱可能に備えられることが好ましい。
【００５９】
前記タブ支持部６が少なくとも３つ以上備えられ、前記第１支持部６１をドロワーボディー３１から分離できないように備える場合、前記タブボディー４１をドロワーボディー３１に固定する作業者は、第２支持部６３が第１支持部６１に干渉しないようにドロワーボディー３１にタブボディー４１を挿入した後、第１連結部６５１を第１支持部６１に結合するために、第２支持部６３と第１支持部６１が垂直線上に位置するようにタブボディー４１を回転させなければならない。
【００６０】
ところが、タブ支持部のバー６５５がドロワーの底面に対して直角をなすように備えられる特徴は、タブボディー４１の外周面とドロワーボディー３１の内周面との間隔を最小化（Ｓ３＜Ｓ４）させ、衣類処理装置１００の体積を最小化することができる一方、上述した過程を通じて行われる第１連結部６５１と第１支持部６１の組立性を悪化させることがある。このような欠点は、多数の第１支持部６１の一部をドロワーボディー３１に着脱可能に備えることによって解決できる。
【００６１】
図３は、前記タブ支持部６が４つ備えられた実施例を示したものである。前記第１支持部６１は、ドロワーパネルが位置した面（例えば：ドロワーの前方面）に位置する一対の第１ブラケット６１１、及びドロワーの後方面に位置する一対の第２ブラケット６１５を備えることができる。ドロワーボディー３１が六面体形状に設けられる場合、２つの第１ブラケット及び２つの第２ブラケットは、前記ドロワーボディーの各角部に備えることができる。
【００６２】
前記第１ブラケット６１１は、ドロワーボディー３１の左側面に位置する一対のブラケットとして備えられ、前記第２ブラケット６１５は、前記ドロワーボディー３１の右側面に位置する一対のブラケットとして備えられても構わない。
【００６３】
前記第１ブラケット６１１及び前記第２ブラケット６１５のうち少なくともいずれか一対は、ドロワーボディー３１に固定されたボディー着脱部３１１に着脱可能に備えられてもよい（３つのタブ支持部６が備えられる場合であれば、少なくとも１つ以上の第１支持部６１がドロワーボディー３１に着脱可能に備えられてもよい）。
【００６４】
図３は、一対の第１ブラケット６１１はドロワーボディー３１から分離可能であるが、一対の第２ブラケット６１５はドロワーボディー３１から分離されない実施例を示したものである。
【００６５】
一対の第１ブラケット６１１がボディー着脱部３１１に着脱可能に備えられる場合、タブボディー４１とドロワーボディー３１の結合は、次のように行うことができる。
【００６６】
作業者は、タブボディー４１の円周面に備えられた４つの第２支持部６３に連結部６５を結合させた後、４つの連結部６５のうち一対の連結部６５を、ドロワーの後方面に位置した第２ブラケット６１５に結合する。
【００６７】
一対の第１連結部６５１が第２ブラケット６１５にそれぞれ着座すると、作業者は、残りの２つの連結部６５に第１ブラケット６１１を結合した後、第１ブラケット６１１をボディー着脱部３１１に固定することによって、タブボディー４１とドロワーボディー３１を結合することができる。
【００６８】
したがって、本発明は、連結部６５がドロワー３の底面に直角をなすように備えられることによって発生し得るタブボディー４１とドロワーボディー３１の組立性の悪化を防止することができる。
【００６９】
前記タブボディー４１とドロワーボディー３１の組立性をさらに向上させるために、前記第１ブラケット６１１は連結部６５と一体に備えられてもよい。すなわち、タブボディー４１とドロワーボディー３１の組立時に、前記第１ブラケット６１１は、前記第１連結部６５１に結合された状態で作業者に提供されてもよい。前記第１ブラケット６１１は、前記第１連結部６５１が支持される収容溝、バー６５５が貫通する貫通孔、及び前記収容溝に支持された第１連結部６５１が収容溝から分離されることを防止する連結部カバーを備えることができる。
【００７０】
上述したタブ支持部６を介して結合されたタブボディー４１がＸ−Ｙ平面内で遊動することを保障するために、前記第２ブラケット６１５は、連結部のバー６５５が貫通する貫通孔６１５ｃ、第１連結部６５１が支持される収容溝６１５ａ、及び前記バー６５５が前記貫通孔６１５ｃの縁部から貫通孔６１５ｃの中心方向に挿入され得るようにするスリット６１５ｂを含むように備えることができる。
【００７１】
前記第１ブラケット６１１は、第２ブラケット６１５と同じ形状に設けることができる。すなわち、図５に示したように、前記第１ブラケット６１１は、連結部のバー６５５が貫通する貫通孔６１１ｃ、第１連結部６５１が支持される収容溝６１１ａ、及び前記バー６５５が前記貫通孔６１１ｃの縁部から貫通孔６１１ｃの中心方向に挿入され得るようにするスリット６１１ｂを含むように備えることができる。
【００７２】
前記第１ブラケット６１１は、締結部を介してボディー着脱部３１１に結合され、前記締結部は、第１ブラケット６１１を貫通する第１締結孔６１１ｄ、前記ボディー着脱部を貫通する第２締結孔３１２、及び各締結孔に挿入されるカプラーＣを備えることができる。
【００７３】
前記タブボディー４１に備えられる第２支持部６３は、連結部のバー６５５が貫通する貫通孔６３５（図３参照）、前記貫通孔６３５の縁部に沿って設けられ、第２連結部６５３に着座する収容溝６３１、及び前記バー６５５が前記貫通孔６３５の縁部から貫通孔の中心方向に挿入され得るようにするスリット６３３を備えることができる。
【００７４】
上述した構造を有する衣類処理装置１００は、給水部７を介してタブ４に水を供給し、排水部８を介してタブ４に貯蔵された水をキャビネット２の外部に排出する。
【００７５】
図２に示したように、前記給水部７は、タブカバーに設けられた供給口４３３に連結された第１給水管７１、キャビネットの外部に位置した給水源に連結された第２給水管７３、及び前記タブカバー４３に固定されて前記第１給水管と第２給水管とを連結する連結管７５を備えることができる。
【００７６】
前記第１給水管７１は、ドロワーカバー３５に設けられた第２貫通孔３５３を介して供給口４３３と連結管７５とを連結し、タブ４の振動時に第１給水管７１が連結管７５から分離されることを防止するために波形管として備えられてもよい（図３参照）。
【００７７】
また、前記ドロワー３がキャビネット２から引き出されるとき、第２給水管７３が連結管７５から分離されることを防止するために、第２給水管７３もまた波形管として備えられてもよい。前記第２給水管７３は、制御部（図示せず）の制御を受ける給水弁７７によって開閉される。
【００７８】
図２に示したものとは異なり、前記給水部７は、キャビネットの外部に位置した給水源と前記タブカバーに設けられた供給口４３３とを連結する一つの給水管として備えられてもよい。前記給水管の少なくとも一部の領域は波形管として備えられることが好ましい。
【００７９】
前記排水部８は、ドロワーボディー３１に固定される排水ポンプ８１、前記タブボディー４１の内部の水を排水ポンプ８１に案内する第１排水管８３、及び前記排水ポンプ８１から排出される水をキャビネット２の外部に案内する第２排水管８５を備えることができる。前記第２排水管８５は波形管として備えられてもよい。
【００８０】
衣類処理装置１００は、ドロワー３をキャビネット２から引き出すことが可能であるので、衣類処理装置１００の運送中に前記ドロワー３と前記キャビネット２との衝突防止及びドロワー３がキャビネット２から引き出されることを防止する必要がある。
【００８１】
運送中にドロワー３がキャビネットから引き出されたり、ドロワー３がキャビネット２に衝突したりする問題を防止するために、衣類処理装置は、ドロワー３とキャビネット２との間の空間に着脱可能なスペーサーをさらに含む。
【００８２】
前記スペーサーは、ドロワー３の上部面とキャビネット２との間の空間に位置する第１スペーサー、及び前記ドロワー３の底面とキャビネット２との間の空間に位置する第２スペーサーのうち少なくともいずれか１つを含むように備えることができる。
【００８３】
前記第１スペーサー及び前記第２スペーサーは、ドロワー３とキャビネット２との間の空間に嵌合され、運送中には前記ドロワー３をキャビネット２に固定するが、運送が完了すると、キャビネットの上部面及び下部面にそれぞれ設けられた貫通孔を介して前記キャビネット２の外部に排出され得るように備えられることが好ましい。
【００８４】
衣類処理装置１００は、タブ４がタブ支持部６を介してドロワー３の内部に支持されるため、運送中にドロワー３がキャビネット２から引き出される問題だけでなく、タブ４がドロワー３に衝突する問題も防止しなければならない。
【００８５】
このような問題を解決するために、前記第１スペーサーは、衣類処理装置１００の運送中にタブ４がドロワー３に衝突することを防止するように備えられ、前記第２スペーサーは、衣類処理装置の運送中にドロワー３がキャビネット２から引き出されることを防止するように備えられてもよい。
【００８６】
すなわち、図６に示したように、前記第１スペーサー２７は、前記キャビネット２と前記ドア４５との間の間隔を維持するように備えられ、上部貫通孔２３（キャビネットの上部面を貫通するように設けられた孔）を介して前記キャビネット２と前記ドア４５との間の空間から分離されるように備えられてもよい。
【００８７】
前記第２スペーサー２９は、前記キャビネット２と前記ドロワー３の底面との間の間隔を維持するように備えられ、下部貫通孔２５（キャビネットの底面を貫通するように設けられた孔）を介して前記キャビネット２と前記ドロワー３の底面との間の空間から分離されるように備えられてもよい。
【００８８】
前記第１スペーサー２７の材質は、前記キャビネット２と前記ドア４５との間の間隔を維持させることができれば、いかなる材質で形成されてもよく、スポンジのような弾性材質を一例とすることができる。
【００８９】
前記第１スペーサー２７は、前記ドア４５の上部面と前記キャビネット２との間に形成された空間に嵌合することができ、キャビネットの前記上部貫通孔２３を介してキャビネット２の内部からキャビネット２の外部に引き出すことができる。
【００９０】
前記第２スペーサー２９もまた、スポンジのような弾性材質で形成することができ、前記第２スペーサーは、前記ドロワー３の底面と前記キャビネット２との間の空間に嵌合することができる。
【００９１】
前記第２スペーサーは、前記下部貫通孔２５を介してキャビネット２の外部からキャビネット２の内部に挿入されたり、キャビネット２の内部からキャビネット２の外部に引き出されたりすることができる。
【００９２】
前記衣類処理装置１００は、前記キャビネット２に着脱可能に設けられて前記上部貫通孔２３を開閉する上部貫通孔ドア２３１をさらに含むことができる。衣類処理装置１００の運送中に、上部貫通孔２３を介して異物がキャビネット２に流入することを防止するためである。
【００９３】
前記衣類処理装置１００は、前記下部貫通孔２５を開閉する下部貫通孔ドアをさらに含むこともできる。
【００９４】
図７及び図８は、スペーサーの実施例を示したものである。図７の第２スペーサー２９は、ローターＭ２とドロワー３の底面との間の空間に挿入され、衣類処理装置の運送中に前記タブ４が前記ドロワー３の内部で動くことを防止することが特徴である。
【００９５】
すなわち、図７の衣類処理装置は、ドロワー３の底面を貫通するように設けられ、前記ローターＭ２の下部に位置するドロワー貫通部３１１をさらに含んでおり、前記第２スペーサー２９は、下部貫通孔２５及びドロワー貫通部３１１を介して前記ローターＭ２とドロワー３の底面との間の空間に嵌合（ｉｎｔｅｒｆｅｒｅｎｃｅ  ｆｉｔ  ｏｒ  ｔｉｇｈｔ  ｆｉｔ）可能であることが特徴である。
【００９６】
本実施例もまた、前記キャビネット２の底面に着脱可能に設けられて前記下部貫通孔２５を開閉する下部貫通孔ドア、または前記ドロワーの底面に着脱可能に設けられて前記ドロワー貫通部３１１を開閉するドロワー貫通部ドア（図示せず）をさらに含むこともできる。
【００９７】
図８の場合、前記第２スペーサー２９が、キャビネット２の底面を支持する支持ボディー２９１、及び前記支持ボディーから突出して前記ローターＭ２を支持することによってタブ４が動くことを最小化する固定ボディー２９３を備えることが特徴である。
【００９８】
前記支持ボディー２９１は、キャビネット２の底面、すなわち、衣類処理装置の底面全体を支持できるように備えることができ、前記固定ボディー２９３は、前記下部貫通孔２５及びドロワー貫通部３１１に挿入されることによってローターＭ２を支持する。本実施例は、衣類処理装置１００を支持ボディー２９１に着座させるだけで、運送中にタブ４がドロワー３の内部で動くことを防止できるだけでなく、ドラムがタブの内部で動くことも防止することができる。
【００９９】
前記ドロワー貫通部３１１は、前記ドロワーの底面を貫通する孔として備えられてもよい。ただし、ドロワー３の底面が開放された構造であれば、前記ドロワーの開放された底面が前記ドロワー貫通部３１１となる。
【０１００】
さらに、前記固定ボディー２９３は、前記下部貫通孔２５及びドロワー貫通孔３１３に挿入されてタブの底面を支持するように備えられてもよい。
【０１０１】
上述した衣類処理装置は、運搬中にドロワーがキャビネットに衝突したり、ドロワーがキャビネットから引き出されたりすることを防止することができる。
【０１０２】
上述した衣類処理装置は、運搬後にキャビネットから分離可能な手段を用いて、運搬中にドロワーがキャビネットに衝突したり、ドロワーがキャビネットから引き出されたりすることを防止することができる。
【０１０３】
上述した衣類処理装置は、運搬中にドラムがタブの内部で遊動することを防止することができる。
【０１０４】
上述した衣類処理装置は、衣類が収容されるタブの振動を効果的に制御することができる。
【図１】
0006535086.tif 000002
【図２】
0006535086.tif 000003
【図３】
0006535086.tif 000004
【図４】
0006535086.tif 000005
【図５】
0006535086.tif 000006
【図６】
0006535086.tif 000007
【図７】
0006535086.tif 000008
【図８】
0006535086.tif 000009